(57)【要約】【課題】停電時やポンプの作動不全時に養液タンクから養液がオーバーフローすることが防止され、しかも養液タンク容積を増大させることが不要である水耕栽培装置を提供する。【解決手段】定常時には、養液タンク３内の養液がポンプ４及び配管５を介して栽培ベッド槽２に定量的に供給され、栽培ベッド槽２の底面上には規定液深にて養液が流れる。停電時又はポンプ４の作動不全時には、配管８の一部が引き上げられる。これにより、栽培ベッド槽２内には、配管８の頂部８ｔのレベルＷにまで養液が貯留可能とされる。【選択図】図１
2020036564.tif 000002
【特許請求の範囲】
【請求項１】
栽培ベッド槽と、養液を貯留する養液タンクと、該養液タンクから養液を該栽培ベッド槽に供給するポンプを有した給液ラインと、該栽培ベッド槽から養液を該養液タンクに戻す返送ラインとを有する水耕栽培装置において、
停電時又は前記ポンプの作動不全時に前記栽培ベッド槽からの養液流出レベルを上昇させる養液流出レベル上昇手段を備えたことを特徴とする水耕栽培装置。
【請求項２】
前記養液流出レベル上昇手段は、前記返送ラインの流入部又は途中部分を上昇させることにより前記養液流出レベルを上昇させるものであることを特徴とする請求項１に記載の水耕栽培装置。
【請求項３】
前記養液流出レベル上昇手段は、通電停止時にバネの付勢力によって前記返送ラインの流入部又は途中部分を上昇させるものであることを特徴とする請求項２に記載の水耕栽培装置。
【請求項４】
前記養液流出レベル上昇手段は、前記ポンプの流量又は圧力を検出するセンサを備えており、該センサの検出流量又は圧力が所定値よりも小さくなったときに前記養液流出レベルを上昇させることを特徴とする請求項１〜３のいずれか１項に記載の水耕栽培装置。
【請求項５】
栽培ベッド槽と、養液を貯留する養液タンクと、該養液タンクから養液を該栽培ベッド槽に供給するポンプを有した給液ラインと、該栽培ベッド槽から養液を該養液タンクに戻す返送ラインとを有する水耕栽培装置において、
停電時又は前記ポンプの作動不全時に、前記返送ラインを遮断する遮断手段を備えたことを特徴とする水耕栽培装置。
【請求項６】
前記遮断手段は、前記返送ラインの流入部を閉鎖可能な栓、蓋又はシャッタを有することを特徴とする請求項５に記載の水耕栽培装置。
【請求項７】
前記遮断手段は、停電時にバネの付勢力によって前記栓、蓋又はシャッタを閉鎖作動させることを特徴とする請求項６に記載の水耕栽培装置。
【請求項８】
前記遮断手段は、前記返送ラインに設けられた弁であることを特徴とする請求項５に記載の水耕栽培装置。
【請求項９】
前記弁は、通電停止時にバネの付勢力によって閉弁するものであることを特徴とする請求項８に記載の水耕栽培装置。
【請求項１０】
前記遮断手段は、前記ポンプの流量又は圧力を検出するセンサを備えており、該センサの検出流量又は圧力が所定値よりも小さくなったときに遮断作動することを特徴とする請求項５〜９のいずれか１項に記載の水耕栽培装置。
【請求項１１】
栽培ベッド槽と、養液を貯留する養液タンクと、該養液タンクから養液を該栽培ベッド槽に供給するポンプを有した給液ラインと、該栽培ベッド槽から養液を該養液タンクに戻す返送ラインとを有する水耕栽培装置において、
停電時又は前記ポンプの作動不全時に前記返送ラインから養液を排出する排出装置を備えたことを特徴とする水耕栽培装置。
【請求項１２】
前記排出装置は、停電時又はポンプ作動不全時に開弁する弁を有することを特徴とする請求項１１に記載の水耕栽培装置。
【請求項１３】
前記排出装置は、通電停止時にバネの付勢力によって開弁する弁を有することを特徴とする請求項１１に記載の水耕栽培装置。
【請求項１４】
前記排出装置は、前記ポンプの流量又は圧力を検出するセンサを備えており、該センサの検出流量又は圧力が所定値よりも小さくなったときに排出作動することを特徴とする請求項１１〜１３のいずれか１項に記載の水耕栽培装置。
【発明の詳細な説明】
【技術分野】
【０００１】
本発明は、植物の養液栽培に用いられる水耕栽培装置に関する。
【背景技術】
【０００２】
近年、養液などを使用する水耕栽培によって葉菜類や果菜類の栽培を行うことが試みられている。水耕栽培は、土壌に由来する病気の心配がなく、作物の栄養状態の管理がしやすいなどのメリットを有している。
【０００３】
水耕栽培装置として、栽培ベッド槽と、養液を貯留する養液タンクと、該養液タンクから養液を該栽培ベッド槽に供給するポンプを有した給液ラインと、該栽培ベッド槽から養液を該養液タンクに戻す返送ラインとを有したものがある（例えば特許文献１〜４）。
【０００４】
この水耕栽培装置にあっては、養液タンク内の養液はポンプによって栽培ベッド槽に循環供給される。
【先行技術文献】
【特許文献】
【０００５】
【特許文献１】特開平８−３３６３３７号公報
【特許文献２】特開平１０−１３６８０９号公報
【特許文献３】特開２０１７−６１１４号公報
【特許文献４】特開２０１８−９９０６８号公報
【発明の概要】
【発明が解決しようとする課題】
【０００６】
養液タンク内の養液を栽培ベッド槽に循環供給する、循環型の水耕栽培装置において、停電したり、ポンプが故障したりすると、ポンプの作動不全が起こりうる。このような場合、養液タンクから栽培ベッド槽への養液供給が停止又は減少するが、栽培ベッド槽から養液タンクへの養液戻りは依然として継続するので、養液タンク内の液位が上昇し、養液タンクから養液がオーバーフローするおそれがある。このオーバーフローを防止するために養液タンクの容積を十分に大きくすることが考えられるが、養液タンクの設備コストが高くなると共に、養液タンクの設置スペースも大きくなる。
【０００７】
さらに、養液が養液タンクから圃場内に溢れると、栽培中の植物に病気が発生するおそれがある。また、養液が養液タンクからオーバーフローすると、栽培ベッド槽を設置した地盤に浸食が生じ、栽培ベッド槽に歪みが発生するおそれがある。
【０００８】
特許文献１には、停電時にも栽培ベッド槽内に所定量の養液が残留するように栽培ベッド槽の底面に堰状の堤部を設けることが記載されているが、養液タンクからの養液オーバーフローを防止するのに十分な量の養液を栽培ベッド槽に残留させることは記載されていない。
【０００９】
特許文献３には、栽培ベッド槽の養液流出口に立ち上がるように設けた排水筒を軸長の異なるものに差し替えたり、既存の排水筒にさらに別の排水筒を継ぎ足したりすることにより、栽培ベッド槽内の液位を調節することが記載されているが、排水筒の差し替えや継ぎ足しは作業者によって行われるものであり、停電時に自動的に栽培ベッド槽内の水位変更を行うことは特許文献３には記載されていない。
【００１０】
本発明は、停電時やポンプの作動不全時に養液タンクから養液がオーバーフローすることが防止され、しかも養液タンク容積を増大させることが不要である水耕栽培装置を提供することを目的とする。
【課題を解決するための手段】
【００１１】
第１発明の水耕栽培装置は、栽培ベッド槽と、養液を貯留する養液タンクと、該養液タンクから養液を該栽培ベッド槽に供給するポンプを有した給液ラインと、該栽培ベッド槽から養液を該養液タンクに戻す返送ラインとを有する水耕栽培装置において、停電時又は前記ポンプの作動不全時に前記栽培ベッド槽からの養液流出レベルを上昇させる養液流出レベル上昇手段を備えたことを特徴とする。
【００１２】
第１発明の一態様では、前記養液流出レベル上昇手段は、前記返送ラインの流入部又は途中部分を上昇させることにより前記養液流出レベルを上昇させるものである。
【００１３】
第１発明の一態様では、前記養液流出レベル上昇手段は、通電停止時にバネの付勢力によって前記返送ラインの流入部又は途中部分を上昇させるものである。
【００１４】
第１発明の一態様では、前記養液流出レベル上昇手段は、前記ポンプの流量又は圧力を検出するセンサを備えており、該センサの検出流量又は圧力が所定値よりも小さくなったときに前記養液流出レベルを上昇させる。
【００１５】
第２発明の水耕栽培装置は、栽培ベッド槽と、養液を貯留する養液タンクと、該養液タンクから養液を該栽培ベッド槽に供給するポンプを有した給液ラインと、該栽培ベッド槽から養液を該養液タンクに戻す返送ラインとを有する水耕栽培装置において、停電時又は前記ポンプの作動不全時に、前記返送ラインを遮断する遮断手段を備えたことを特徴とする。
【００１６】
第２発明の一態様では、前記遮断手段は、前記返送ラインの流入部を閉鎖可能な栓、蓋又はシャッタを有する。
【００１７】
第２発明の一態様では、前記遮断手段は、停電時にバネの付勢力によって前記栓、蓋又はシャッタを閉鎖作動させる。
【００１８】
第２発明の一態様では、前記遮断手段は、前記返送ラインに設けられた弁である。
【００１９】
第２発明の一態様では、前記弁は、通電停止時にバネの付勢力によって閉弁するものである。
【００２０】
第２発明の一態様では、前記遮断手段は、前記ポンプの流量又は圧力を検出するセンサを備えており、該センサの検出流量又は圧力が所定値よりも小さくなったときに遮断作動する。
【００２１】
第３発明の水耕栽培装置は、栽培ベッド槽と、養液を貯留する養液タンクと、該養液タンクから養液を該栽培ベッド槽に供給するポンプを有した給液ラインと、該栽培ベッド槽から養液を該養液タンクに戻す返送ラインとを有する水耕栽培装置において、停電時又は前記ポンプの作動不全時に前記返送ラインから養液を排出する排出装置を備えたことを特徴とする。
【００２２】
第３発明の一態様では、前記排出装置は、停電時又はポンプ作動不全時に開弁する弁を有する。
【００２３】
第３発明の一態様では、前記排出装置は、通電停止時にバネの付勢力によって開弁する弁を有する。
【００２４】
第３発明の一態様では、前記排出装置は、前記ポンプの流量又は圧力を検出するセンサを備えており、該センサの検出流量又は圧力が所定値よりも小さくなったときに排出作動する。
【発明の効果】
【００２５】
第１発明では、停電時又はポンプの作動不全時に栽培ベッド槽の養液流出レベルを上昇させ、栽培ベッド槽内に留まる養液貯留量を増加させる。これにより、養液タンクへの養液の流入を抑え、養液タンクからの養液オーバーフローが防止される。
【００２６】
第２発明では、停電時又はポンプの作動不全時に栽培ベッド槽からの養液の流出を遮断する。これにより、養液タンクへの養液の流入を抑え、養液タンクからの養液オーバーフローが防止される。
【００２７】
第３発明では、停電時又はポンプの作動不全時に、栽培ベッド槽から流出する養液を系外に排出する。これにより、養液タンクへの養液の流入を抑え、養液タンクからの養液オーバーフローが防止される。
【図面の簡単な説明】
【００２８】
【図１】本発明の第１発明の一実施の形態に係る水耕栽培装置の模式的な縦断面図である。
【図２】図１の水耕栽培装置の作動状態を示す一部断面図である。
【図３】アクチュエータの断面図である。
【図４】実施の形態に係る水耕栽培装置の制御プロセスを示すフローチャートである。
【図５】本発明の第１発明の別の実施の形態に係る水耕栽培装置の作動状態を示す一部断面図である。
【図６】アクチュエータの断面図である。
【図７】本発明の第１発明の更に別の実施の形態に係る水耕栽培装置の一部断面図である。
【図８】本発明の第２発明の一実施の形態に係る水耕栽培装置の一部断面図である。
【図９】本発明の第２発明の別の実施の形態に係る水耕栽培装置の一部断面図である。
【図１０】本発明の第３発明の一実施の形態に係る水耕栽培装置の模式的な縦断面図である。
【図１１】本発明の一実施の形態に係る水耕栽培装置の模式的な縦断面図である。
【図１２】栽培ベッド槽の断面斜視図である。
【発明を実施するための形態】
【００２９】
以下、図面を参照して実施の形態について説明する。
【００３０】
［図１〜４の実施の形態（第１発明）］
図１は本発明の水耕栽培装置１の一例を示す模式的な縦断面図である。
【００３１】
この水耕栽培装置１は、底面が流水勾配を有するように設置された栽培ベッド槽２と、養液を保持する養液タンク３と、該養液タンク３内の養液をポンプ４及び配管５によって栽培ベッド槽２の高位側へ供給する給液ライン６と、栽培ベッド槽２の低位側の流出口７から流出する養液を配管８によって養液タンク３に戻す返送ライン９と、配管８の途中部分を持ち上げるためのアクチュエータ１０と、ポンプ４の吐出側配管５に設けられた、養液の流量又は圧力を検知するセンサ１１と、アクチュエータ１０の制御器１２等を有する。
【００３２】
ポンプ４及び制御器１２の電源は商用電源である。
【００３３】
栽培ベッド槽２に植物（例えば苗根鉢）が配置される。栽培ベッド槽２は、限定されないが、例えば、図１２のような形態である。本発明における栽培ベッド槽の形態の一例を挙げると、底面の勾配は、長手方向の一端部から他端部に向かう流水勾配であることが好ましく、例えば、１／５０以上、１／２００以下である。また、栽培ベッド槽２の長手方向（長さ方向）の長さは、限定されないが、例えば、０．３ｍ以上、好ましくは０．５ｍ以上、さらに好ましくは０．９ｍ以上である。また、栽培ベッド槽２の長手方向（長さ方向）の長さは、限定されないが、製造や輸送効率の観点から４．０ｍ以下、好ましくは２．０ｍ以下、さらに好ましくは１．５ｍ以下である。栽培ベッド槽２は、複数個の栽培ベッド槽が繋ぎ合わされ、長さ１０〜１００ｍの栽培ベッド槽列とされることが好ましい。栽培ベッド槽２の短手方向（幅方向）の長さは、植物が生育可能な大きさであれば特に限定されないが、例えば、０．１ｍ以上が好ましく、０．３ｍ以上がより好ましい。また、該幅は、２．０ｍ以下が好ましく、１．０ｍ以下がより好ましい。栽培ベッド槽２の高さは、特に限定されず、栽培する植物の種類や、栽培する期間によって適宜設定することができるが、例えば、５０ｍｍ〜２００ｍｍ程度が好ましい。
本発明の一態様においては、栽培ベッド槽２には、植え穴５２が穿設された定植パネル板５１が設置され、該植え穴を通して、植物（例えば、苗根鉢５３）が、栽培ベッド槽の底面に配置されることが好ましい。栽培ベッド槽２を流れる養液の水深は３ｍｍ以上であることが好ましく、５ｍｍ以上であることがより好ましい。また、養液の水深は、特に上限があるものではないが、栽培される植物の根域に水域と湿気空間とを併存させることが好ましい。そのため、栽培ベッド槽の高さの９５％以下であることが好ましく、９０％以下であることがより好ましい。したがって、養液の水深の上限は、例えば、１８０ｍｍ以下、特に１４０ｍｍ以下が好ましい。
【００３４】
配管８は、少なくとも途中部分が軟質ホースよりなるか、又は回動式継手によって起立回動が可能となっている。アクチュエータ１０のロッド状鉄芯１０ａの先端が該配管８に連結されている。
【００３５】
アクチュエータ１０は、筒状のハウジング１０ｂと、該ハウジング１０ｂの下端から下方に突出した前記鉄芯１０ａと、該鉄芯１０ａを上方（後退方向）付勢するコイルバネ１０ｃと、ハウジング１０ｂから突出した鉄芯１０ａを突出方向に付勢可能なコイル１０ｄと、該鉄芯１０ａが突出状態にあるときに鉄芯１０ａのフランジ部１０ｆが吸着するマグネット（永久磁石）１０ｅとを有する。
【００３６】
水耕栽培装置１で栽培を行う通常運転中には、コイル１０ｄに通電され、鉄芯１０ａが下方に付勢される。コイル１０ｄの磁力と、マグネット１０ｅ・フランジ部１０ｆ間の吸着力との合計がバネ１０ｃの押圧力を上回ることにより、鉄芯１０ａが突出状態に保持される。停電時には、コイル１０ｄへの通電が停止するので、コイル１０ｄが消磁する。そうすると、バネ１０ｃの押圧力がマグネット１０ｅ・フランジ部１０ｆ間の吸着力を上回り、鉄芯１０ａがバネ１０ｃに押されて上方に移動（後退）する。
【００３７】
また、この実施の形態では、センサ１１の検出信号も制御器１２に入力されており、図４のように、センサ１１が検出する配管５内の養液の流量（又は圧力）が所定値Ｆｍｉｎ以下になると、制御器１２はコイル１０ｄへの通電を停止する。これによっても、鉄芯１０ａが後退する。
【００３８】
このように構成された水耕栽培装置１においては、定常時には、養液タンク３内の養液がポンプ４及び配管５を介して栽培ベッド槽２に定量的に供給され、栽培ベッド槽２の底面上には規定液深にて養液が流れる。栽培ベッド槽２の底面を流れ下った養液は、流出口７から配管８を介して養液タンク３に返送される。このように養液タンク３内の養液が栽培ベッド槽２に循環供給され、水耕栽培が行われる。
【００３９】
停電時になると、ポンプ４が停止する。また、アクチュエータ１０のコイル１０ｃへの通電が停止することにより、図２のように鉄芯１０ａが後退し、配管８の一部が引き上げられる。これにより、栽培ベッド槽２内には、配管８の頂部８ｔのレベルＷにまで養液が貯留可能とされ、栽培ベッド槽２内の養液貯留量が多くなる。
【００４０】
仮に、停電に伴ってポンプ４が停止し、養液タンク３からの養液供給が停止した状態で栽培ベッド槽２から養液が養液タンク３に返送され続けると、養液タンク３が養液で満杯となり、養液が養液タンク３からオーバーフローすることになる。しかしながら、この実施の形態では、停電時にアクチュエータ１０が作動して栽培ベッド槽２の養液貯留レベルがＷにまで上昇するので、栽培ベッド槽２から養液タンク３へ返送される養液はＷレベルを上回る養液だけであり、少量（皆無を含む。）になる。これにより、養液タンク３からの養液のオーバーフローが防止される。
【００４１】
停電していないが、ポンプ４が作動不全時になった場合も、センサ１１の検出流量又は圧力が所定値よりも低くなるので、制御器１２がコイル１０ｃへの通電を停止する。これにより、停電時と同様に栽培ベッド槽２の貯留液位がＷレベルにまで上昇し、養液タンク３からの養液のオーバーフローが防止される。このように、本発明における、栽培ベッド槽の養液流出レベルとは、栽培ベッド槽内の流出口における養液の液位（流出口に貯留される養液の水面高さ）を意味する。そして、養液流出レベルの上昇とは、この液位の上昇を意味する。図１、２に示す本実施形態は、養液流出レベル上昇手段の一つであり、前記返送ラインの途中部分を上昇させる形態の一例である。
【００４２】
［図５，６の実施の形態（第１発明）］
上記図１〜４の実施の形態では、アクチュエータ１０が配管８の一部を引き上げる構成となっているが、図５，６のように、配管８の一部を押し上げるアクチュエータ１０Ａを用いてもよい。
【００４３】
このアクチュエータ１０Ａも、筒状ハウジング１０ｂと、該ハウジング１０ｂから上方に突出可能な鉄芯１０ａと、鉄芯１０ａを上方に付勢するコイルバネ１０ｃと、励磁時に鉄芯１０ａを下方に付勢するコイル１０ｄと、鉄芯１０ａの下端が吸着したマグネット１０ｅとを有する。通常時には、コイル１０ｄに通電が行われ、鉄芯１０ａが図４に示す後退状態に保持される。停電時又はポンプ作動不全時にはコイル１０ｄへの通電が停止し、バネ１０ｃの付勢力が鉄芯１０ａ・マグネット１０ｅ間の吸着力を上回り、鉄芯１０ａが上方に突出する。これにより、図５の通り配管８の一部が押し上げられ、栽培ベッド槽２内の貯留液位がＷレベルまで上昇するので、栽培ベッド槽２からの養液のオーバーフローが防止される。
【００４４】
なお、図示は省略されているが、図５，６及び以下の各実施の形態においても、アクチュエータや電磁弁を制御するための制御器１２が設置されている。
【００４５】
［図７の実施の形態（第１発明）］
図７は、本発明の第１発明のさらに別の態様としての一例を示す。栽培ベッド槽２の流出口７に、上方へ伸長可能な排水筒２０を設けた実施の形態を示している。すなわち、図７は、養液流出レベル上昇手段の一例として、前記返送ラインの流入部を上昇させることにより前記養液流出レベルを上昇させるものである。
【００４６】
排水筒２０は、蛇腹状であり、コイルバネ２１によって伸長可能とされている。排水筒２０の下端は、流出口７の段部７ａに当接している。排水筒２０は、押し縮められた状態で流出口７内に配置され、上端がアクチュエータ２２のロッド２３によって係止されている。アクチュエータ２２は、流出口７の周壁を貫通して流出口７内に突出した鉄芯２３を備えている。鉄芯２３の先端が排水筒２０の上端を押えている。
【００４７】
アクチュエータ２２は、定常時に通電され、鉄芯２３を突出方向に付勢するコイルと、突出状態の鉄芯２３が吸着するマグネットと、鉄芯２３を後退方向に押圧するバネとを有する。コイルへの通電が停止すると、バネの押圧力により鉄芯２３がアクチュエータ２２内へ後退し、排水筒２０がＷレベルまで上方に伸長する。これにより、停電時又はポンプ４の作動不全時に、栽培ベッド槽２の貯留液位がＷレベルまで上昇するので、養液タンク３からの養液のオーバーフローが防止される。
【００４８】
［図８の実施の形態（第２発明）］
図８の実施の形態は、停電時又はポンプ４の作動不全時に栽培ベッド槽２の養液流出口７を閉鎖する栓３０及びその閉鎖作動用アクチュエータ３１を有する。アクチュエータ３１はブラケット３５によって栽培ベッド槽２に取り付けられている。その鉄芯３２は、アクチュエータ３１の下方から下方に突出可能となっており、鉄芯３２の下端に栓３０が取り付けられている。
【００４９】
アクチュエータ３２は、定常時に通電され、鉄芯３２を後退方向に付勢するコイルと、後退状態の鉄芯３２が吸着するマグネットと、鉄芯３２を突出方向に押圧するバネとを有する。コイルへの通電が停止すると、バネの押圧力により鉄芯３２が下方に突出し、栓３０が流入口７に係合して閉鎖する。これにより、停電時又はポンプ４の作動不全時に、栽培ベッド槽２からの養液流出が停止するので、養液タンク３からの養液のオーバーフローが防止される。
【００５０】
なお、栓３０の代りに、流出口７を閉鎖する蓋又はシャッタを用いてもよい。
【００５１】
［図９の実施の形態（第２発明）］
図９の実施の形態は、栽培ベッド槽２の流出口７に連なる配管８に常閉型電磁弁４０を設けたものである。この常閉型電磁弁４０は、通電時にのみ開状態となり、通電停止時には閉弁する特性を有するものであり、上記各アクチュエータと同様に、マグネット、コイル及びバネ等によって弁体を開閉させるよう構成されている。
【００５２】
停電時又はポンプ４の作動不全時に常閉型電磁弁４０への通電が停止すると、該常閉型電磁弁４０が閉弁し、栽培ベッド槽２からの養液の流出が停止する。これにより、養液タンク３からの養液のオーバーフローが防止される。
【００５３】
［図１０の実施の形態（第３発明）］
図１０の水耕栽培装置１Ａでは、流出口７に連なる配管８に常閉型電磁弁４０を設けている。また、常閉型電磁弁４０の上流側の配管８から排出用配管４１が分岐しており、該配管４１に常開型電磁弁４２を設けている。常開型電磁弁４２は、通電時にのみ閉となり、通電停止時には開弁する特性を有する。
【００５４】
停電時又はポンプ４の作動不全時には、常閉型電磁弁４０が閉弁し、常開型電磁弁４２が開弁する。これにより、栽培ベッド槽２２の流出口７から流出する養液は、排出用配管４１を介して排水用貯留タンクに送水される。栽培ベッド槽２から流出する養液が養液タンク３に流入しないので、養液タンク３からの養液のオーバーフローが防止される。
【００５５】
［図１１の実施の形態］
上記各実施の形態では、栽培ベッド槽は長手方向の一端側（図１，１０の左端側）から他端側（図１，１０の右端側）に向って下り勾配となっている例を示す。本発明では、図１１の水耕栽培装置１Ｂのように、栽培ベッド槽２Ａの長手方向の中間を最低位部とし、長手方向の両端側を高位部とし、各高位部に配管５，５から養液を供給し、該中間の最低位部に向って養液が流れるように最低位部に向って下り勾配とした構成してもよい。この実施態様では、該最低位部に流出口７が設けられている。
【００５６】
図１１は図１０の水耕栽培装置１Ａにおいて栽培ベッド槽２を栽培ベッド槽２Ｂに置換した構成となっているが、前記各実施の形態のいずれにおいても、図１１の栽培ベッド槽２Ｂを設置してもよい。すなわち、この実施態様は、第１発明、第２発明、及び第３発明のいずれにも適用しうる形態である。
【００５７】
図１２は、栽培ベッド槽２の一例を示す断面斜視図である。発泡スチロール等の発泡プラスチック製の栽培ベッド槽２に定植パネル板５１が蓋装され、定植パネル板５１の穴５２を通して植物（苗根鉢５３）が配置される。
【符号の説明】
【００５８】
１，１Ａ，１Ｂ  水耕栽培装置
２，２Ｂ  栽培ベッド槽
３  養液タンク
４  ポンプ
７  流出口
１０，１０Ａ，２２，３１  アクチュエータ
１２  制御器
３０  栓
４０，４２  電磁弁
【図１】
2020036564.tif 000003
【図２】
2020036564.tif 000004
【図３】
2020036564.tif 000005
【図４】
2020036564.tif 000006
【図５】
2020036564.tif 000007
【図６】
2020036564.tif 000008
【図７】
2020036564.tif 000009
【図８】
2020036564.tif 000010
【図９】
2020036564.tif 000011
【図１０】
2020036564.tif 000012
【図１１】
2020036564.tif 000013
【図１２】
2020036564.tif 000014